【手続補正書】
【提出日】平成26年4月28日(2014.4.28)
【手続補正１】
【補正対象書類名】明細書
【補正対象項目名】発明の名称
【補正方法】変更
【補正の内容】
【発明の名称】撮像装置、プログラム及び表示方法
【手続補正２】
【補正対象書類名】明細書
【補正対象項目名】０００１
【補正方法】変更
【補正の内容】
【０００１】
本発明は、撮影時にその指標として利用される撮影補助線を表示する撮像装置、プログラム及び表示方法に関する。
【手続補正３】
【補正対象書類名】明細書
【補正対象項目名】０００７
【補正方法】変更
【補正の内容】
【０００７】
上述した課題を解決するために本発明の他の態様は、
撮像手段と、前記撮像手段により取得された撮影画像を表示する表示手段を備えるコンピュータに対して、
前記撮影画像内に含まれている略直線画像を検出する機能と、
前記検出された略直線画像が略水平或いは略垂直とみなせるか否かを判別する機能と、
前記略直線画像が略水平或いは略垂直とみなせると判別された場合に、前記表示手段に表示されている前記撮影画像内の略直線画像の位置に対応する位置に撮影補助線を表示させる機能と、
を実現させるためのプログラムである。
上述した課題を解決するために本発明の他の態様は、
撮像手段と、前記撮像手段により取得された撮影画像を表示する表示手段を備える撮像装置における表示方法であって、
前記撮影画像内に含まれている略直線画像を検出するステップと、
前記検出された略直線画像が略水平或いは略垂直とみなせるか否かを判別するステップと、
前記略直線画像が略水平或いは略垂直とみなせると判別された場合に、前記表示手段に表示されている前記撮影画像内の略直線画像の位置に対応する位置に撮影補助線を表示させるステップと、
を含むことを特徴とする表示方法である。
【手続補正４】
【補正対象書類名】特許請求の範囲
【補正対象項目名】全文
【補正方法】変更
【補正の内容】
【特許請求の範囲】
【請求項１】
撮像手段と、
前記撮像手段により取得された撮影画像を表示する表示手段と、
前記撮影画像内に含まれている略直線画像を検出する検出手段と、
前記検出手段により検出された略直線画像が略水平或いは略垂直とみなせるか否かを判別する判別手段と、
前記判別手段により前記略直線画像が略水平或いは略垂直とみなせると判別された場合に、前記表示手段に表示されている前記撮影画像内の略直線画像の位置に対応する位置に撮影補助線を表示させる表示制御手段と、
を備えるようにしたことを特徴とする撮像装置。
【請求項２】
前記表示制御手段に前記撮影補助線の表示を開始する指示を行う指示手段を更に備える、
ようにしたことを特徴とする請求項１に記載の撮像装置。
【請求項３】
前記指示手段は、前記表示手段上に重ね合わせて配設されているタッチパネルであり、
前記指示手段による開始の指示は、前記タッチパネルへのタッチを検出することにより行う、
ようにしたことを特徴とする請求項２に記載の撮像装置。
【請求項４】
前記表示手段に表示されている前記撮影画像内の位置を指定する指定手段を更に備え、
前記検出手段は、前記指定手段により指定された前記撮影画像内の位置から所定範囲内に含まれている略直線画像を検出する、
ようにしたことを特徴とする請求項１に記載の撮像装置。
【請求項５】
前記指定手段は、前記検出手段が、前記指定手段により指定された前記撮影画像内の位置から所定範囲内に含まれている略直線画像を検出した場合に、前記表示制御手段に前記撮影補助線の表示を開始する指示を更に行う、
ようにしたことを特徴とする請求項４に記載の撮像装置。
【請求項６】
前記指定手段は、前記表示手段上に重ね合わせて配設されているタッチパネルであり、
前記指定手段による位置の指定は、前記タッチパネルへのタッチ位置を検出することにより行う、
ようにしたことを特徴とする請求項４又は５に記載の撮像装置。
【請求項７】
前記判別手段が前記略直線画像が略水平或いは略垂直とみなせるか否かを判別するための基準値としての閾値を変化させる変更手段を更に備える、
ようにしたことを特徴とする請求項１に記載の撮像装置。
【請求項８】
前記変更手段は、前記表示手段上に重ね合わせて配設されているタッチパネルであり、
前記タッチパネルをタッチし続けているタッチ継続時間を計測する計測手段を更に備え、
前記判別手段は、前記計測手段により計測された前記タッチ継続時間に応じて、前記略直線画像が略水平或いは略垂直とみなせるか否かを判別するための基準値としての閾値を変化させる、
ようにしたことを特徴とする請求項７に記載の撮像装置。
【請求項９】
前記判別手段は、前記検出手段により検出された前記略直線画像の一端部と前記撮影画像の一端部との距離と前記略直線画像の他端部と前記撮影画像の一端部との距離が略同一である場合に、前記略直線画像が略水平或いは略垂直とみなせると判別する、
ようにしたことを特徴とする請求項１〜８のいずれかに記載の撮像装置。
【請求項１０】
重力センサを更に備え、
前記判別手段は、前記検出手段により検出された前記略直線画像が前記重力センサにより検出された重力方向に応じて特定される水平或いは垂直に近似する度合いを示す水平度或いは垂直度に基づいて、略水平或いは略垂直とみなすか否かを判別する、
ようにしたことを特徴とする請求項１〜８のいずれかに記載の撮像装置。
【請求項１１】
前記表示制御手段は、前記表示手段に表示されている前記撮影画像内の略直線画像の上に重ね合わせて前記撮影補助線を表示させる、
ようにしたことを特徴とする請求項１〜１０のいずれかに記載の撮像装置。
【請求項１２】
前記表示制御手段は、予め設定されている撮影補助線のうち、前記表示手段に表示されている前記撮影画像内の略直線画像と略水平或いは略垂直が同方向であり、かつ一番近い位置の撮影補助線を選択して表示させる、
ようにしたことを特徴とする請求項１〜１１のいずれかに記載の撮像装置。
【請求項１３】
前記判別手段は、前記検出手段により前記撮影画像内に複数の略直線画像が検出された場合に、その検出された略直線画像毎に略水平或いは略垂直とみなせるか否かの判別を行い、
前記判別手段により判別された複数の略直線画像の優先順位を決定する優先順位決定手段を更に備え、
前記表示制御手段は、前記優先順位決定手段により決定された優先順位に基づいて前記撮影補助線を識別可能に表示する、
ようにしたことを特徴とする請求項１に記載の撮像装置。
【請求項１４】
前記表示手段に表示されている前記撮影画像内の位置を指定する指定手段を更に備え、
前記優先順位決定手段は、前記指定手段により指定された位置との距離に基づき優先順位を決定する、
ようにしたことを特徴とする請求項１３に記載の撮像装置。
【請求項１５】
前記判別手段は、前記検出手段により検出された略直線画像が略水平或いは略垂直とみなせると判別した場合に、その水平或いは垂直に近似する度合いを示す水平度或いは垂直度を更に判別し、
前記優先順位決定手段は、前記判別手段により判別された水平度或いは垂直度に基づいて優先順位を決定する、
ようにしたことを特徴とする請求項１３に記載の撮像装置。
【請求項１６】
撮像手段と、前記撮像手段により取得された撮影画像を表示する表示手段を備えるコンピュータに対して、
前記撮影画像内に含まれている略直線画像を検出する機能と、
前記検出された略直線画像が略水平或いは略垂直とみなせるか否かを判別する機能と、
前記略直線画像が略水平或いは略垂直とみなせると判別された場合に、前記表示手段に表示されている前記撮影画像内の略直線画像の位置に対応する位置に撮影補助線を表示させる機能と、
を実現させるためのプログラム。
【請求項１７】
撮像手段と、前記撮像手段により取得された撮影画像を表示する表示手段を備える撮像装置における表示方法であって、
前記撮影画像内に含まれている略直線画像を検出するステップと、
前記検出された略直線画像が略水平或いは略垂直とみなせるか否かを判別するステップと、
前記略直線画像が略水平或いは略垂直とみなせると判別された場合に、前記表示手段に表示されている前記撮影画像内の略直線画像の位置に対応する位置に撮影補助線を表示させるステップと、
を含むことを特徴とする表示方法。